(57)【要約】【課題】重機を用いることなくロールベールの搬送を可能とし、かつ、取り扱い易いロールベール搬送具を提供する。【解決手段】ロールベール４０の胴体部４１に装着する胴巻き筒体２と、胴巻き筒体２の外周面２Ａに縫着され上下方向に連通する通し孔７，７を形成するガイド用縫製部材３，３と、通し孔７，７を挿通するように胴巻き筒体２に付設されると共にロールベール４０の底面周縁部４２に掛止してロールベール４０を下方から支持する一対の吊りベルト４，４とを、備えている。【選択図】図２
2012140173.tif 000002
【特許請求の範囲】
【請求項１】
ロールベール（４０）の胴体部（４１）に装着する胴巻き筒体（２）と、該胴巻き筒体（２）の外周面（２Ａ）に縫着され上下方向に連通する通し孔（７）（７）を形成するガイド用縫製部材（３）（３）と、該通し孔（７）（７）を挿通するように上記胴巻き筒体（２）に付設されると共に上記ロールベール（４０）の底面周縁部（４２）に掛止して該ロールベール（４０）を下方から支持する一対の吊りベルト（４）（４）とを、備えたことを特徴とするロールベール搬送具。
【請求項２】
上記一対の吊りベルト（４）（４）を上記通し孔（７）（７）よりも下方位置で左右に連結する帯状ベルト体（５）を備え、
該帯状ベルト体（５）が、使用状態で、上記ロールベール（４０）の底面周縁部（４２）を支持すると共に、上記吊りベルト（４）（４）の左右方向への拡開を防止するように構成している請求項１記載のロールベール搬送具。
【請求項３】
上記通し孔（７）（７）は、ハの字状に形成され、該通し孔（７）（７）の中央線（Ｌ１）（Ｌ２）の交点（Ｐ）が、吊持手段（Ｆ）によって上記一対の吊りベルト（４）（４）を吊支する支点（Ｐ０）の近傍に配設されるように構成している請求項１又は２記載のロールベール搬送具。
【請求項４】
上記胴巻き筒体（２）は、上記ガイド用縫製部材（３）（３）の上端部近傍にて上記外周面（２Ａ）に縫着される上部補強用帯体（６Ａ）と、上記ガイド用縫製部材（３）（３）の下端部近傍にて上記外周面（２Ａ）に縫着される下部補強用帯体（６Ｂ）と、から成る形状保持手段（６）を備え、
該形状保持手段（６）が、使用状態で、上記ガイド用縫製部材（３）（３）の左右方向への拡開を防止して上記通し孔（７）（７）の上記ハの字形状を保持している請求項３記載のロールベール搬送具。
【請求項５】
上記吊りベルト（４）（４）は、上記ロールベール（４０）の底面周縁部（４２）に掛止する部位に、滑り止め用ゴム体（８）（８）を有している請求項１，２，３又は４記載のロールベール搬送具。
【発明の詳細な説明】
【技術分野】
【０００１】
本発明は、ロールベール搬送具に関する。
【背景技術】
【０００２】
従来、家畜飼料用の牧草や稲等をロール状に形成したロールベールを搬送するために、特許文献１記載のようなロールベール運搬車が用いられていた。
【先行技術文献】
【特許文献】
【０００３】
【特許文献１】特開２００３−２１０８号公報
【発明の概要】
【発明が解決しようとする課題】
【０００４】
しかし、中規模乃至小規模な農場では、特許文献１記載のロールベール運搬車のような重機が整備されていないことが多く、ロールベールをトラックや船舶等の輸送手段に荷役するのに苦労していた。
そこで、図５と図６に示すように、ロールベール１００に、吊りベルト１０４を備えるロールベール搬送具１０１を取付け、フォークリフトやクレーン車等の吊持手段Ｆを利用してロールベール１００を吊り上げて搬送する方法が採られてきた。
【０００５】
従来のロールベール搬送具１０１は、ロールベール１００の胴体部に巻き付ける胴巻きバンド１０２と、襷掛け状に交差する一対の吊りベルト１０４，１０４とを、縫着部１０３，１０３で一体に縫着したものであるが、ロールベール搬送具１０１をロールベール１００に着脱する際に、吊りベルト１０４，１０４の交差部１０５を、ロールベール１００の底面部と地面の間に挿入する必要があり、着脱の度にロールベール１００を持ち上げなければならないため、搬送作業に手間が掛かり非常に面倒であった。
また、従来のロールベール搬送具１０１を使用してロールベール１００を吊り上げると、ロールベール１００を被覆しているストレッチフィルムＢが損傷したり、ロールベール１００が変形しやすいという欠点があった。
【０００６】
そこで、本発明は、重機を用いることなくロールベールの搬送を可能とし、かつ、取り扱い易いロールベール搬送具を提供することを目的とする。
【課題を解決するための手段】
【０００７】
本発明に係るロールベール搬送具は、ロールベールの胴体部に装着する胴巻き筒体と、該胴巻き筒体の外周面に縫着され上下方向に連通する通し孔を形成するガイド用縫製部材と、該通し孔を挿通するように上記胴巻き筒体に付設されると共に上記ロールベールの底面周縁部に掛止して該ロールベールを下方から支持する一対の吊りベルトとを、備えたものである。
【０００８】
また、上記一対の吊りベルトを上記通し孔よりも下方位置で左右に連結する帯状ベルト体を備え、該帯状ベルト体が、使用状態で、上記ロールベールの底面周縁部を支持すると共に、上記吊りベルトの左右方向への拡開を防止するように構成しているものである。
また、上記通し孔は、ハの字状に形成され、該通し孔の中央線の交点が、吊持手段によって上記一対の吊りベルトを吊支する支点の近傍に配設されるように構成しているものである。
【０００９】
また、上記胴巻き筒体は、上記ガイド用縫製部材の上端部近傍にて上記外周面に縫着される上部補強用帯体と、上記ガイド用縫製部材の下端部近傍にて上記外周面に縫着される下部補強用帯体と、から成る形状保持手段を備え、該形状保持手段が、使用状態で、上記ガイド用縫製部材の左右方向への拡開を防止して上記通し孔の上記ハの字形状を保持しているものである。
また、上記吊りベルトは、上記ロールベールの底面周縁部に掛止する部位に、滑り止め用ゴム体を有しているものである。
【発明の効果】
【００１０】
本発明のロールベール搬送具によれば、重機が整備されていない農場であっても、ロールベールを簡単に搬送することができる。また、ロールベールを持ち上げる（地面から浮き上がらせる）ことなく吊りベルトを底面周縁部に引っ掛けることができ、着脱が迅速に行えて取り扱いが容易であり、かつ、確実にロールベールを保持できる。また、ロールベールを変形したり、ストレッチフィルムを損傷させることなく、ロールベールの品質を保持したまま搬送を行える。
【図面の簡単な説明】
【００１１】
【図１】本発明のロールベール搬送具の実施の一形態を示した斜視図である。
【図２】ロールベール搬送具の使用状態を示した斜視図である。
【図３】ロールベール搬送具の使用状態を示した底面図である。
【図４】ロールベール搬送具の使用状態を示した正面図である。
【図５】従来例を示した説明用斜視図である。
【図６】従来例を示した説明用底面図である。
【発明を実施するための形態】
【００１２】
以下、実施の形態を示す図面に基づき本発明を詳説する。
図１と図２に示すように、本発明のロールベール搬送具は、ロールベール４０の胴体部４１に装着する胴巻き筒体２と、胴巻き筒体２の外周面２Ａに縫着され上下方向に連通する通し孔７，７を形成するガイド用縫製部材３，３と、通し孔７，７を挿通するように胴巻き筒体２に付設されると共にロールベール４０の底面周縁部４２に掛止してロールベール４０を下方から支持する一対の吊りベルト４，４とを、備えている。
本発明のロールベール搬送具を装着して吊り上げ搬送しようとするロールベール４０は、牛や馬等の家畜が飼料とするための牧草又は稲等をロール状に形成したものであって、一般的に、その外形が非完全な円柱形（俵形）となっていることが多く、その外面を伸縮性のあるストレッチフィルムＢによって被覆されている。ロールベール４０の外形上の特徴について、さらに説明すると、胴体部４１と上面、及び、胴体部４１と底面の境界付近で梱包密度が低下しているため、完全な円柱形には形成されず、胴体部４１と底面との境界を成す底面周縁部４２が丸みを帯びた俵型に形成されている。つまり、底面を接地して地面に載置した縦置き状態に於て、底面周縁部４２と地表面の間には隙間が生じている。ロールベール４０は、底面の全面積のうち、底面周縁部４２を除く７０％程度の面積を地表面に当接して縦置きされている。
【００１３】
ロールベール搬送具は、ＰＰ（ポリプロピレン）やＰＥ（ポリエチレン）等の合成樹脂を主原料として構成されている。
胴巻き筒体２は、平面視で真円形となるように展開した状態での最大口径（直径）をφとすると、φが１１００ｍｍ又は１１５０ｍｍとなるように形成されている。これは、一般的なロールベール４０に適合するように設定されたものであり、搬送するロールベール４０の胴体部４１の外径寸法に対応して、設計の変更が自由である。また、胴巻き筒体２は、比較的に薄く形成されており、柔軟性を有し、縦置き状態のロールベール４０の上方から胴体部４１に簡単に被せることができ、しかも、非作業時には折り畳んで収納することができるようになっている。胴巻き筒体２の高さ寸法Ｈ２は、５００ｍｍ〜８００ｍｍに設定されており、ロールベール装着状態下で、ロールベール４０の胴体部４１を上下方向２／３以上の範囲にわたって覆うように装着することが可能である。
ガイド用縫製部材３は、縦長矩形状のシート体であって、左右方向中央部を山なりに隆起させた状態で、胴巻き筒体２の外周面２Ａに対し左右両端部を上下方向に縫着され、胴巻き筒体２の外周面２Ａと縫製部材３の裏面との間に、縦長の通し孔７を形成している。胴巻き筒体２には、複数のガイド用縫製部材３…が付設されており、図１に於て、正面側に２個で１セットとしてハの字状に並べて縫い付けられている。また、図示省略するが胴巻き筒体２の背面側には、正面のガイド用縫製部材３，３の（正面）投影位置に、２個１セットのガイド用縫製部材３，３がハの字状に並べて縫い付けられている。つまり、図１に図示するように、胴巻き筒体２の正面と背面の各々に、吊りベルト４，４を挿通するための通し孔７，７が（ハの字状に）形成されている。
【００１４】
吊りベルト４は、長尺の帯体であって、その厚さ寸法ｔが、胴巻き筒体２の厚さ寸法よりも大きく設定され、幅寸法が５０ｍｍ〜８０ｍｍ（好ましくは７０ｍｍ程度）に設定されている。幅寸法が５０ｍｍより小さいと、引張強度が低下し耐荷重性が確保できず、幅寸法が８０ｍｍより大きいと、柔軟性が劣化する。言い換えると、吊りベルト４は、ロールベール４０の荷役作業時に吊下荷重に耐え得る（十分に大きな）引張強度を有し、かつ、収納時に折り畳み可能な柔軟性を兼ね備えている。また、吊りベルト４は、胴巻き筒体２の正面と背面の投影位置に対応して設けられた通し孔７，７に上下方向スライド自在に挿通され、長手方向両端部を相互に連繋した輪状として形成されている。つまり、胴巻き筒体２には、左右一対の輪状吊りベルト４，４が付設されている。左右一対の吊りベルト４，４は、胴巻き筒体２の上方位置にて、平面視Ｘ字状に縫着されて一体化している。
【００１５】
本発明のロールベール搬送具は、一対の吊りベルト４，４を通し孔７，７よりも下方位置で左右に連結する帯状ベルト体５を備えている。帯状ベルト体５は、図２と図３に示す使用状態で、ロールベール４０の底面周縁部４２を支持すると共に、吊りベルト４，４の左右方向への拡開を防止するように構成されている。
帯状ベルト体５は、吊りベルト４と同等の厚さ寸法と幅寸法を有する帯体を（吊りベルト４と比較して短尺に）切り取って構成するのが望ましい。帯状ベルト体５は、左右方向両端部を環状に縫製し、その両端部に吊りベルト４，４をスライド可能に挿通している。言い換えると、帯状ベルト体５は、吊りベルト４，４の長手方向にスライド自在に取付けられている。
【００１６】
図４に示すように、通し孔７，７は、ハの字状に形成され、さらに、通し孔７，７の中央線Ｌ１，Ｌ２の交点Ｐが、吊持手段Ｆによって一対の吊りベルト４，４を吊支する支点Ｐ０の近傍に配設されるように構成している。
本発明に於て、通し孔７，７の中央線Ｌ１，Ｌ２とは、図中２点鎖線にて示すとおり、通し孔７，７の幅方向の中点を長手方向に結んだ直線状の軌跡であって、通し孔７，７がハの字状であるため、胴巻き筒体２の上方位置にて相互に交わって交点Ｐを形成している。この交点Ｐが、吊りベルト４，４の支点Ｐ０の近傍に配設されるか、又は、吊りベルト４，４の支点Ｐ０に一致することにより、通し孔７，７の中央線Ｌ１，Ｌ２と、吊りベルト４，４の中央線とが、同一直線上にて重なって、使用状態に於て、吊りベルト４，４が折れ曲がることなく真っ直ぐに伸びた状態で、ロールベール４０を吊り下げ支持することとなり、通し孔７，７内をスムーズにスライドできるように構成されている。
【００１７】
また、胴巻き筒体２は、ガイド用縫製部材３，３の上端部近傍にて外周面２Ａに縫着される上部補強用帯体６Ａと、ガイド用縫製部材３，３の下端部近傍にて外周面２Ａに縫着される下部補強用帯体６Ｂと、から成る形状保持手段６を備えている。
形状保持手段６は、使用状態で、ガイド用縫製部材３，３の左右方向への拡開を防止して通し孔７，７のハの字形状を保持している。
形状保持手段６としての上部補強用帯体６Ａ及び下部補強用帯体６Ｂは、吊りベルト４と同等の厚さ寸法と幅寸法を有する帯体を（吊りベルト４と比較して短尺に）切り取って構成するのが望ましい。上部補強用帯体６Ａ及び下部補強用帯体６Ｂは、左右方向両端部を環状に縫製し、その両端部に吊りベルト４，４をスライド可能に挿通している。言い換えると、上部補強用帯体６Ａ及び下部補強用帯体６Ｂは、吊りベルト４，４をスライド自在として胴巻き筒体２の外周面２Ａに縫い付けられて固着されている。
【００１８】
吊りベルト４，４は、ロールベール４０の底面周縁部４２に掛止する部位に、滑り止め用ゴム体８，８を有している。
滑り止め用ゴム体８，８は、短寸のゴムチューブから成り、使用状態で、ロールベール４０の底面周縁部４２に着接するように、吊りベルト４，４に予め装着されている。
【００１９】
上述した本発明のロールベール搬送具の使用方法（作用）について説明する。
まず、図２に示すように、ロールベール４０に（上方から）ロールベール搬送具を被せて装着させる。胴巻き筒体２は、ロールベール４０の胴体部４１を包囲し、吊りベルト４，４との摺接によるストレッチフィルムＢの損傷やロールベール４０の変形を防止する。吊りベルト４，４は、ロールベール４０を地面に縦置きした状態で、その底面と地表面の間に形成された隙間に挿入され、底面周縁部４２に引っ掛けられる。そして、吊りベルト４，４の上部を、フォークリフトやクレーン車等の吊持手段Ｆによって吊り上げる。この際、吊りベルト４，４は、通し孔７，７内をスライドして上方に引き上げられると共に、ロールベール４０の底面周縁部４２を下方から斜め内向きに締付ける。吊りベルト４，４の引き上げに伴って、帯状ベルト体５が、ロールベール４０の底面周縁部４２に掛止し、底面周縁部４２の丸みに沿って弯曲しつつ左右の吊りベルト４，４を内向きに引っ張る。
【００２０】
図３に示すように、ロールベール４０の底面側から見ると、一対の吊りベルト４，４と、吊りベルト４，４を連結する帯状ベルト体５によって、底面周縁部４２を下方から掬い上げるように支持し、ロールベール４０の荷重をもって吊りベルト４，４と帯状ベルト体５とが引っ張り合って緊縛するため、吊りベルト４，４が底面周縁部４２との掛止状態を離脱することなく確実に保持する。この際、滑り止め用ゴム体８，８が、底面周縁部４２に引っ掛かった吊りベルト４，４が滑って外れるのを防止し、その掛止状態をより確実なものとして保持する。
【００２１】
図４に示すように、吊りベルト４，４は、平面視Ｘ字状に縫着されて一体化した部位を、胴巻き筒体２の上方位置にて吊持手段Ｆに吊支される。この際、一対の吊りベルト４，４が、支点Ｐ０から下方に向けて次第に拡開するように真っ直ぐに伸び、捩れることがなく、しかも、ロールベール４０の荷重による張力を、底面周縁部４２に内向きに作用する締付力に変換して、ロールベール４０への掛止状態を確実に保持する。ハの字状の通し孔７，７の中央線Ｌ１，Ｌ２の交点Ｐが、吊りベルト４，４の支点Ｐ０の近傍に配設されることで、吊りベルト４，４が通し孔７，７に真っ直ぐに挿通し、内部で引っ掛かることなくスライドして、吊りベルト４，４の引き上げをスムーズに行える。また、胴巻き筒体２は、上部補強用帯体６Ａと下部補強用帯体６Ｂとから成る形状保持手段６により補強され、ロールベール４０の荷重により吊りベルト４，４を左右方向に押し広げる力が作用した場合であっても、ガイド用縫製部材３，３の左右方向への拡開を防止して、通し孔７，７が、前述のハの字形状を安定して保持する。
【００２２】
なお、本発明は、要旨を逸脱しない範囲で設計変更が可能であって、例えば、帯状ベルト体５、上部補強用帯体６Ａ、下部補強用帯体６Ｂ、又は、滑り止め用ゴム体８，８、の内の何れを省略しても良い。
【００２３】
以上のように、本発明に係るロールベール搬送具は、ロールベール４０の胴体部４１に装着する胴巻き筒体２と、胴巻き筒体２の外周面２Ａに縫着され上下方向に連通する通し孔７，７を形成するガイド用縫製部材３，３と、通し孔７，７を挿通するように胴巻き筒体２に付設されると共にロールベール４０の底面周縁部４２に掛止してロールベール４０を下方から支持する一対の吊りベルト４，４とを、備えたので、重機が整備されていない農場であっても、ロールベール４０を簡単に搬送することができる。また、着脱の度に、ロールベール４０を持ち上げる（地面から浮き上がらせる）必要がなく、吊りベルト４，４を底面周縁部４２に引っ掛けて搬送することができ、着脱が迅速に行えて取り扱いが容易であり、かつ、ロールベール４０を下方から掬い上げるように吊支して確実に保持できる。また、ロールベール４０を変形させたり、ストレッチフィルムＢを損傷させることなく、ロールベール４０の品質を劣化させることなく搬送作業を行える。
【００２４】
また、一対の吊りベルト４，４を通し孔７，７よりも下方位置で左右に連結する帯状ベルト体５を備え、帯状ベルト体５が、使用状態で、ロールベール４０の底面周縁部４２を支持すると共に、吊りベルト４，４の左右方向への拡開を防止するように構成しているので、ロールベール４０の荷重により吊りベルト４，４を左右方向に押し広げる力が作用した場合であっても、吊りベルト４，４が底面周縁部４２との掛止状態を離脱することなく確実に保持できる。また、一対の吊りベルト４，４と帯状ベルト体５とによって、底面周縁部４２を下方から掬い上げるように安定して支持できる。
【００２５】
また、通し孔７，７は、ハの字状に形成され、通し孔７，７の中央線Ｌ１，Ｌ２の交点Ｐが、吊持手段Ｆによって一対の吊りベルト４，４を吊支する支点Ｐ０の近傍に配設されるように構成しているので、通し孔７，７の中央線Ｌ１，Ｌ２と、吊りベルト４，４の中央線とが、ほぼ一致した状態で、ロールベール４０を吊り下げ支持することとなり、使用状態で、吊りベルト４，４が折れ曲がることなく真っ直ぐに伸びて、通し孔７，７内をスムーズにスライドすることが可能である。また、ロールベール４０の荷重による張力を、底面周縁部４２に内向きに作用する締付力に変換して、ロールベール４０への掛止状態を確実に保持できる。
【００２６】
また、胴巻き筒体２は、ガイド用縫製部材３，３の上端部近傍にて外周面２Ａに縫着される上部補強用帯体６Ａと、ガイド用縫製部材３，３の下端部近傍にて外周面２Ａに縫着される下部補強用帯体６Ｂと、から成る形状保持手段６を備え、形状保持手段６が、使用状態で、ガイド用縫製部材３，３の左右方向への拡開を防止して通し孔７，７のハの字形状を保持しているので、ロールベール４０の荷重により吊りベルト４，４を左右方向に押し広げる力が作用した場合であっても、吊りベルト４，４が底面周縁部４２との掛止状態を離脱することなく確実に保持すると共に、吊りベルト４，４が通し孔７，７内に真っ直ぐに挿通して、スムーズにスライドすることが可能である。
【００２７】
また、吊りベルト４，４は、ロールベール４０の底面周縁部４２に掛止する部位に、滑り止め用ゴム体８，８を有しているので、底面周縁部４２に引っ掛かった吊りベルト４，４が滑って外れるのを防止でき、その掛止状態を一層確実に保持できる。
【符号の説明】
【００２８】
２  胴巻き筒体
２Ａ  外周面
３  ガイド用縫製部材
４  吊りベルト
５  帯状ベルト体
６  形状保持手段
６Ａ  上部補強用帯体
６Ｂ  下部補強用帯体
７  通し孔
８  滑り止め用ゴム体
４０  ロールベール
４１  胴体部
４２  底面周縁部
Ｌ１，Ｌ２  中央線
Ｐ  交点
Ｐ０  支点
Ｆ  吊持手段
【図１】
2012140173.tif 000003
【図２】
2012140173.tif 000004
【図３】
2012140173.tif 000005
【図４】
2012140173.tif 000006
【図５】
2012140173.tif 000007
【図６】
2012140173.tif 000008